(57)【要約】  コンバーチブル型コンピューティング装置は、装置上のタッピングジェスチャを検出する加速度計と、装置がラップトップモードにあるかまたはタブレットモードにあるかを判断するモードセンサとを有する。装置は、装置の動作状態をオフ状態と非オフ状態との間で変更するための第１の物理的人的入力センサと、コンピューティング装置の動作状態を変更するための第２の物理的人的入力センサとを含む。コンピューティング装置がラップトップモードにあるとき、コンピューティング装置の動作状態を変更できるように第２の物理的人的入力センサを有効にし、コンピューティング装置がタブレットモードにあるとき、装置の動作状態を変更できないように第２の物理的人的入力センサを無効にし、その代わりに、加速度計によって検出されたタッピングジェスチャを用いて、装置の動作状態を変更する。
2018538590.tif 000002
【特許請求の範囲】
【請求項１】
ラップトップモードとタブレットモードとの間で変換可能なコンピューティング装置であって、
キーボードを含むベース部と、
表示画面を含む表示部と、
ユーザによって前記装置上で行われたタッピングジェスチャを検出するように構成された加速度計と、
前記装置が前記ラップトップモードにあるかまたは前記タブレットモードにあるかを判断するように構成されたモードセンサと、
当該センサに与えられた人間の入力に応答して、前記装置の前記動作状態をオフ状態と非オフ状態との間で変更するように構成された第１の物理的人的入力センサと、
当該センサに与えられた人間の入力に応答して、前記コンピューティング装置の動作状態を変更するように構成された第２の物理的人的入力センサとを備え、
前記コンピューティング装置が前記ラップトップモードにあると判断された場合、前記コンピューティング装置の前記動作状態を変更できるように、前記第２の物理的人的入力センサを有効にし、
前記コンピューティング装置が前記タブレットモードにあると判断された場合、前記装置の前記動作状態を変更できないように、前記第２の物理的人的入力センサを無効にし、前記加速度計によって検出されたタッピングジェスチャを用いて、前記装置の前記動作状態を変更する、コンピューティング装置。
【請求項２】
前記装置の前記動作状態の変更は、前記動作状態を画面アンロック状態と画面ロック状態との間で変更することを含む、請求項１に記載のコンピューティング装置。
【請求項３】
前記第１の物理的人的入力センサは、当該センサに与えられた人間の入力に応答して、前記動作状態を全電力状態と低電力スリープ状態との間で変更するようにさらに構成されている、請求項２に記載のコンピューティング装置。
【請求項４】
前記第１の物理的人的入力センサは、当該センサに与えられた第１の持続時間の人間の入力に応答して前記装置の前記動作状態をオフ状態と非オフ状態との間で変更するように構成され、当該センサに与えられた第２の持続時間の人間の入力に応答して前記動作状態を全電力状態と低電力スリープ状態との間で変更するように構成されている、請求項３に記載のコンピューティング装置。
【請求項５】
前記装置の前記動作状態の変更は、前記動作状態を全電力状態と低電力スリープ状態との間で変更することを含む、請求項１に記載のコンピューティング装置。
【請求項６】
前記第１の物理的人的入力センサは、当該センサに与えられた人間の入力に応答して、前記動作状態を画面アンロック状態と画面ロック状態との間で変更するようにさらに構成されている、請求項５に記載のコンピューティング装置。
【請求項７】
前記第１の物理的人的入力センサは、当該センサに与えられた第１の持続時間の人間の入力に応答して、前記装置の前記動作状態をオフ状態と非オフ状態との間で変更するように構成され、当該センサに与えられた第２の持続時間の人間の入力に応答して、前記動作状態を画面アンロック状態と画面ロック状態との間で変更するように構成されている、請求項６に記載のコンピューティング装置。
【請求項８】
前記第１の物理的人的入力センサは、前記ベース部の縁部または前記表示部の縁部に設けられたボタンを含む、請求項１に記載のコンピューティング装置。
【請求項９】
前記第２の物理的人的入力センサは、前記ベース部上のボタンを含む、請求項１に記載のコンピューティング装置。
【請求項１０】
前記第２の物理的人的入力センサは、前記キーボード上のキーを含む、請求項９に記載のコンピューティング装置。
【請求項１１】
前記ベース部と前記表示部とを接続するためのヒンジをさらに備える、請求項１に記載のコンピューティング装置。
【請求項１２】
前記モードセンサは、前記ベース部および前記表示部の一方に設けられた磁石と、前記ベース部および前記表示部の他方に設けられた磁気センサを備え、
前記磁気センサは、前記磁石と前記磁気センサとの近接度に基づいて、前記コンピューティング装置の前記モードを判断するように構成されている、請求項１に記載のコンピューティング装置。
【請求項１３】
前記モードセンサは、前記ベース部に設けられた第１の加速度計と、前記表示部に設けられた第２の加速度計とを含み、
前記加速度計は、前記第１の加速度計および前記第２の加速度計によって検出された加速度方向の比較に基づいて、前記コンピューティング装置の前記モードを判断するように構成されている、請求項１に記載のコンピューティング装置。
【請求項１４】
前記加速度計によって検出され、前記装置の前記動作状態を変更するために使用された前記タッピングジェスチャは、所定の時間内に所定数のタッピングジェスチャのシーケンスを含み、
前記シーケンス内の前記タッピングジェスチャの各々は、前記加速度計に、閾値振幅を超える振幅を有する信号を生成させる、請求項１に記載のコンピューティング装置。
【請求項１５】
方法であって、
コンバーチブル型コンピューティング装置がラップトップモードまたはタブレットモードで動作しているか否かを判断することと、
前記コンバーチブル型コンピューティング装置が前記タブレットモードで動作していると判断された場合に、前記コンバーチブル型コンピューティング装置に設けられた物理的人的入力センサを、当該センサに与えられた人間の入力に応答して前記コンピューティング装置のコンバーチブルな動作状態を変更できないように無効にすることとを含み、
前記物理的人的入力センサは、前記コンバーチブル型コンピューティング装置が前記ラップトップモードであると判断された場合に、前記コンバーチブル型コンピューティング装置の前記動作状態を変更できるよう有効にされ、
前記方法は、さらに、前記コンバーチブル型コンピューティング装置が前記タブレットモードで動作していると判断された場合に、
前記ユーザによって前記装置上で行われたタッピングジェスチャを検出することと、
前記タッピングジェスチャに応答して、前記コンバーチブル型コンピューティング装置の前記動作状態を変更することとを含む、方法。
【請求項１６】
前記装置の前記動作状態の変更は、画面アンロック状態と画面ロック状態との間で前記動作状態を変更することを含む、請求項１５に記載の方法。
【請求項１７】
前記物理的人的入力センサは、前記コンピューティング装置のベース部に設けられたキーボード上のキーを含む、請求項１５に記載の方法。
【請求項１８】
前記装置の前記動作状態を変更するために使用された前記タッピングジェスチャは、所定の時間内に所定数のタッピングジェスチャのシーケンスを含み、
前記シーケンス内の前記タッピングジェスチャの各々は、前記コンピューティング装置の加速度計に、閾値振幅を超える振幅を有する信号を生成させる、請求項１５に記載の方法。
【請求項１９】
前記コンバーチブル型コンピューティング装置が前記タブレットモードで動作していると判断された場合、前記装置の表示画面を変更できないように前記装置の前記ベース部に設けられたキーボードを無効にすることをさらに含む、請求項１５に記載の方法。
【請求項２０】
前記コンバーチブル型コンピューティング装置が前記ラップトップモードで動作していると判断された場合、
前記コンピューティング装置の動作状態を変更できるように、前記コンバーチブル型コンピューティング装置に設けられた前記物理的人的入力センサを有効にすることと、
前記コンバーチブル型コンピューティング装置が前記タッピングジェスチャに応答して前記動作状態を変更できないようにすることとをさらに含む、請求項１５に記載の方法。
【発明の詳細な説明】
【背景技術】
【０００１】
関連出願との相互参照
本願は、２０１５年１２月１１日に出願された米国特許出願第１４／９６６８０１号の継続出願であり、当該出願の優先権を主張する。当該出願の開示は、参照により本明細書に組み込まれる。
【０００２】
背景
いくつかのコンピューティング装置は、物理キーボードを含むベース部と、大きな表示画面を含む表示部とを備えることができる。ベース部と表示部は、例えばヒンジによって互いに連結することができる。人間は、キーボードを用いて装置に入力を与えることができ、装置は、入力を処理することによって、特定のコマンドを実行し、表示画面上で変更を表示させることができる。
【０００３】
表示部とベース部とを含むいくつかのコンピューティング装置において、表示画面がタッチスクリーンインターフェイスを含むことができ、ベース部の物理キーボードを無効にし、タッチスクリーンインターフェイスを用いて装置に入力を与えることができる。このような装置は、コンバーチブル型装置として知られ、ベース部の面と表示部の面とを互いに異なる向きに配置するような異なるモードで動作することができる。例えば、ベース部の面と表示部の面とが互いに平行ではない場合、装置は、ベース部の物理キーボードが人間の入力を受け取ることができる「ラップトップモード」で動作することができ、ベース部の面と表示部の面とが互いに平行または平行に近い場合、ベース部の物理キーボードが人間の入力を受け取ることができない「タブレットモード」で動作することができる。
【０００４】
いくつかのコンバーチブル型装置において、ヒンジでベース部と表示部とを互いに連結することができ、表示部がベース部に対してヒンジを中心にして３６０°または少なくとも３６０°近く回転することができる。この場合、ベース部に対して表示部を所定の角度（例えば、１７０°）以内で回転すると、装置は、ラップトップモードで動作することができ、ベース部に対して表示部を所定の角度を超えて回転すると、装置は、タブレットモードで動作することができる。いくつかのコンバーチブル型装置において、（例えば、ラップトップモードの向きで表示部をベース部に対して保持し、タブレットモードの向きで表示部をベース部に対して保持するための１つ以上の機構によって）ベース部と表示部を互いに取り外し可能に連結することができる。例えば、表示部は、ラップトップモードの向きでベース部にスナップ嵌めで連結され、次いでベース部から取り外され、タブレットモードの向きでベース部に再びスナップ嵌めで連結さられてもよい。
【０００５】
コンピューティング装置は、異なる電力状態で存在することができる。例えば、コンピューティング装置は、オフ状態または電源オフ状態および非オフ状態または電源オン状態で存在することができる。また、コンピューティング装置は、（サスペンド状態としても知られている）低電力スリープ状態で存在することができる。これによって、特定の素子（例えば、表示画面、メインプロセッサ、様々なセンサ（例えば、ＧＰＳセンサ）によって消費される電力を著しく低減することができる。低電力スリープ状態において、コンピューティング装置の過去の動作状態は、（例えば、揮発性メモリ１０９ａ（例えば、ＲＡＭ）および／または不揮発性メモリ１０９ｂ（例えば、フラッシュメモリまたはディスクメモリ）に）保存することができる。その後、低電力スリープ状態から装置を復帰させる場合、メモリに書き込まれた情報に基づいて、装置の過去状態を復元することができる。また、装置を画面ロック状態にすることができる。画面ロック状態において、装置の過去状態が保存され、装置が画面ロックを解除するために人間からの入力を受け取るように動作できるが、それ以上のことができない。例えば、装置が画面ロック状態にあるとき、ユーザは、画面ロックを解除するプログラム以外、装置上で他のプログラムを実行することができず、またはユーザは、入力を行うことによって画面ロックの解除に関連する変更以外、表示画面上で他の変更を行うことができない。
【０００６】
コンピューティング装置は、コンピューティング装置の動作状態を変更するための１つ以上の物理ボタンを含むことができる。例えば、コンピューティング装置は、装置の状態をオフ状態と非オフ状態との間で変更するための第１の物理ボタン（例えば、オン／オフボタン）を含むことができ、装置を低電力スリープ状態に入れるための第２の物理ボタン（例えば、サスペンドボタン）を含むことができる。
【発明の概要】
【課題を解決するための手段】
【０００７】
概要
第１の一般的な態様において、ラップトップモードとタブレットモードとの間で変換可能なコンピューティング装置は、キーボードを含むベース部と、表示画面を含む表示部と、ユーザによって装置上で行われたタッピングジェスチャ（tapping gesture）を検出するように構成された加速度計と、装置がラップトップモードにあるかまたはタブレットモードにあるかを判断するように構成されたモードセンサとを備える。このコンピューティング装置は、当該センサに与えられた人間の入力に応答して、装置の動作状態をオフ状態と非オフ状態との間で変更するように構成された第１の物理的人的入力センサと、当該センサに与えられた人間の入力に応答して、コンピューティング装置の動作状態を変更するように構成された第２の物理的人的入力センサとをさらに備える。コンピューティング装置がラップトップモードにあると判断された場合、コンピューティング装置の動作状態を変更できるように、第２の物理的人的入力センサを有効にし、コンピューティング装置がタブレットモードにあると判断された場合、装置の動作状態を変更できないように、第２の物理的人的入力センサを無効にし、その代わりに、加速度計によって検出されたタッピングジェスチャを用いて、装置の動作状態を変更する。
【０００８】
実施形態は、以下の特徴の１つ以上を単独でまたは組み合わせで含むことができる。例えば、装置の動作状態の変更は、動作状態を画面アンロック状態と画面ロック状態との間で変更することを含んでもよい。第１の物理的人的入力センサは、当該センサに与えられた人間の入力に応答して、全電力状態と低電力スリープ状態との間で動作状態を変更するようにさらに構成されてもよい。第１の物理的人的入力センサは、当該センサに与えられた第１の持続時間の人間の入力に応答して装置の動作状態をオフ状態と非オフ状態との間で変更するように構成されてもよく、当該センサに与えられた第２の持続時間の人間の入力に応答して動作状態を全電力状態と低電力スリープ状態との間で変更するように構成されてもよい。
【０００９】
装置の動作状態の変更は、全電力状態と低電力スリープ状態との間で動作状態を変更することを含んでもよい。第１の物理的人的入力センサは、当該センサに与えられた人間の入力に応答して、動作状態を画面アンロック状態と画面ロック状態との間で変更するようにさらに構成されてもよい。第１の物理的人的入力センサは、当該センサに与えられた第１の持続時間の人間の入力に応答して、装置の動作状態をオフ状態と非オフ状態との間で変更するように構成されてもよく、当該センサに与えられた第２の持続時間人間の入力に応答して、動作状態を画面アンロック状態と画面ロック状態との間で変更するように構成されてもよい。
【００１０】
第１の物理的人的入力センサは、ベース部の縁部または表示部の縁部に設けられたボタンを含んでもよい。第２の物理的人的入力センサは、ベース部上のボタンを含んでもよい。第２の物理的人的入力センサは、キーボード上のキーを含んでもよい。
【００１１】
コンピューティング装置は、ベース部を表示部に接続するためのヒンジを含んでもよい。モードセンサは、ベース部および表示部の一方に設けられた磁石と、ベース部および表示部の他方に設けられた磁気センサを備えてもよく、磁気センサは、磁石と磁気センサとの近接度に基づいて、コンピューティング装置のモードを判断するように構成されてもよい。モードセンサは、ベース部に設けられた第１の加速度計と、表示部に設けられた第２の加速度計とを含んでもよく、加速度計は、第１の加速度計および第２の加速度計によって検出された加速度方向の比較に基づいて、コンピューティング装置のモードを判断するように構成されてもよい。加速度計によって検出され、装置の動作状態を変更するために使用されたタッピングジェスチャは、所定の時間内に所定数のタッピングジェスチャのシーケンスを含んでもよく、シーケンス内のタッピングジェスチャの各々は、加速度計に、閾値振幅を超える振幅を有する信号を生成させてもよい。
【００１２】
別の一般的な態様において、方法は、コンバーチブル型コンピューティング装置がラップトップモードまたはタブレットモードで動作しているか否かを判断することを含む。コンバーチブル型コンピューティング装置がタブレットモードで動作していると判断された場合、当該センサに与えられた人間の入力に応答してコンピューティング装置の動作状態を変更できないように、コンバーチブル型コンピューティング装置に設けられた物理的人的入力センサを無効にする。逆に、コンピューティング装置がラップトップモードにあると判断された場合、コンピューティング装置の動作状態を変更できるように、物理的人的入力センサを有効にする。さらに、コンバーチブル型コンピューティング装置がタブレットモードで動作していると判断された場合、ユーザによってコンピューティング装置上で行われたタッピングジェスチャを検出し、タッピングジェスチャに応答して、コンバーチブル型コンピューティング装置の動作状態を変更する。
【００１３】
実施形態は、以下の特徴の１つ以上を単独でまたは組み合わせで含むことができる。例えば、装置の動作状態の変更は、画面アンロック状態と画面ロック状態との間で動作状態を変更することを含んでもよい。物理的人的入力センサは、コンピューティング装置のベース部に設けられたキーボード上のキーを含んでもよい。装置の動作状態を変更するために使用されたタッピングジェスチャは、所定の時間内に所定数のタッピングジェスチャのシーケンスを含んでもよく、シーケンス内のタッピングジェスチャの各々は、加速度計に閾値振幅を超える振幅を有する信号を生成させるように構成されてもよい。コンバーチブル型コンピューティング装置がタブレットモードで動作していると判断された場合、装置の表示画面を変更できないように装置のベース部に設けられたキーボードを無効にすることをさらに含んでもよい。
【００１４】
コンバーチブル型コンピューティング装置がラップトップモードで動作していると判断された場合、コンピューティング装置の動作状態を変更できるように、コンバーチブル型コンピューティング装置に設けられた物理的人的入力センサを有効にしてもよく、コンバーチブル型コンピューティング装置がタッピングジェスチャに応答してその動作状態を変更できないようにしてもよい。
【図面の簡単な説明】
【００１５】
【図１】コンバーチブル型コンピューティング装置を示す概略ブロック図である。
【図２Ａ】コンピューティング装置のベース部に対して様々な角度で表示部を配置した例示的なコンバーチブル型コンピューティング装置を示す図である。
【図２Ｂ】コンピューティング装置のベース部に対して様々な角度で表示部を配置した例示的なコンバーチブル型コンピューティング装置を示す図である。
【図２Ｃ】コンピューティング装置のベース部に対して様々な角度で表示部を配置した例示的なコンバーチブル型コンピューティング装置を示す図である。
【図２Ｄ】コンピューティング装置のベース部に対して様々な角度で表示部を配置した例示的なコンバーチブル型コンピューティング装置を示す図である。
【図２Ｅ】コンピューティング装置のベース部に対して様々な角度で表示部を配置した例示的なコンバーチブル型コンピューティング装置を示す図である。
【図２Ｆ】コンピューティング装置のベース部に対して様々な角度で表示部を配置した例示的なコンバーチブル型コンピューティング装置を示す図である。
【図３】ラップトップコンピュータとして構成された図１の例示的なコンバーチブル型コンピューティング装置を示す図である。
【図４】ラップトップコンピュータとして構成された図１の例示的なコンバーチブル型コンピューティング装置を示す図である。
【図５】タブレットコンピュータとして構成された図１の例示的なコンバーチブル型コンピューティング装置を示す図である。
【図６】図１のコンピューティング装置の例示的な動作を示すフローチャートである。
【図７】本明細書に記載された技術と共に使用され得る例示的なコンピューティング装置および例示的なモバイルコンピューティング装置を示す概略図である。
【発明を実施するための形態】
【００１６】
詳細な説明
本明細書に記載されたように、コンバーチブル型コンピューティング装置は、人間の入力を受け取り、人間の入力に応答して装置の動作状態をオフ状態と非オフ状態との間で変更することができる第１の物理的人的入力センサ（例えば、装置のベース部に設けられたオン／オフボタン）と、人間の入力を受け取り、人間の入力に応答してコンピューティング装置の動作状態を変更することができる第２の物理的人的入力センサ（例えば、装置のベース部のキーボード上に設けられた画面ロックボタン）とを含むことができる。コンバーチブル型コンピューティング装置がラップトップモードにあるとき、第２の物理的人的入力センサは、コンピューティング装置の動作状態を変更できるように有効にされ、コンピューティング装置がタブレットモードにあるとき、第２の物理的人的入力センサは、動作状態を変更できないように無効にされ、その代わりに、加速度計によって検出されたタッピングジェスチャを用いて、装置の動作状態を変更する。本明細書において、第１の物理的人的入力センサによって変更された動作状態は、第１の動作状態またはオフ／非オフ動作状態と称してもよい。第２の物理的人的入力センサによって変更された動作状態も、第２の動作状態またはロック／アンロック画面動作状態と称してもよく、例えばコンピューティング装置をオフ状態に移行することまたはコンピューティング装置をオフ状態から移行することを行わない。
【００１７】
したがって、コンバーチブル型コンピューティング装置がタブレットモードにあり、キーボードがユーザに利用可能でない場合、ユーザは、第２の物理的人的入力センサを用いて装置の動作状態を変更するのではなく、装置上のタッピングジェスチャを利用して装置の動作状態を変更することができる。タッピングジェスチャを利用して動作状態を変更することは、タッチスクリーンインターフェイス上でアイコンまで移動して動作状態を変更することに比べて、非常に速い（ボタンを押することとほぼ同様に速い）速度で装置の動作状態を変更する方法を提供する。また、タッチスクリーンジェスチャではなく、タッピングジェスチャを利用して動作状態を変更することによって、動作状態の変更を作動するように意図していない他のタッチスクリーンジェスチャとの偶発的な競合を防止する。同様に、加速度計は、マイクロコントローラに接続された場合、非常に少量の電力で動作することができるため、たとえ装置が低電力スリープ状態にあるときでも機能を維持することができる。したがって、オン／オフボタンを使用することがなく、加速度計によって検出されたタッピングジェスチャを用いて、装置を低電力スリープ状態から復帰させることができる。
【００１８】
図１は、コンピューティング装置１０６を示している。コンピューティング装置１０６は、ベース部と表示部とを含み且つラップトップモードまたはタブレットモードで動作することができるコンバーチブル型コンピュータの形を取ることができる。コンピューティング装置１０６は、他の形を取ることも可能である。表示部は、人間とタッチスクリーンとの間の物理的相互作用を介して、人間の入力を受け取るように構成されたタッチスクリーンを含み得る表示画面を含むことができる。
【００１９】
ラップトップモードで動作しているコンピューティング装置１０６の実施形態は、図２Ｃに示されている。標準モードでは、ユーザは、タッチスクリーンを見ながら、コンピューティング装置のベース部に設けられた様々なヒューマンインターフェイス装置と対話することができる。また、タッチスクリーンは、ユーザからの入力を受け取ることができる。コンピューティング装置の表示部を回転して、表示部の背面がベース部の底面に接触することによって、例えばタブレットモードでコンピューティング装置を使用することができる。タブレットモードでで動作しているコンピューティング装置１０６の実施形態は、図２Ｆに示されている。これらの複数のモードで使用されるコンピューティング装置に対して、コンピューティング装置の表示部は、コンピューティング装置のベース部に対して約３６０°回転／旋回することができる。例えば、表示部がベース部の上面に接触するコンピューティング装置の閉合位置から、表示部がベース部の下面に接触する完全な開放位置（タブレットモード）まで、表示部を回転することができる。図２Ａおよび図２Ｆは、これらの位置の例を各々示している。
【００２０】
いくつかの実施形態において、デュアルピボットヒンジを用いて、表示部をコンピューティング装置のベース部に接続することができる。デュアルピボットヒンジは、２つのピボット構造を含むことができる。いくつかの実施形態において、２つのピボット構造は、同一種類の構造であり、他の実施形態において、２つのピボット構造は、異なる種類の構造である。各ピボット構造の直径は、同様であってもよく異なってもよい。第１のピボット構造は、第２のピボット構造の上方に垂直に配置されてもよい。第１のピボット構造は、コンピューティング装置の表示部に連結されてもよく、第２のピボット構造は、コンピューティング装置のベース部に連結されてもよい。一部の場合において、各ピボット構造は、同一種類の摩擦要素を利用することができる。他の場合において、各ピボット構造は、異なる種類の摩擦要素を利用することができる。また、表示部をコンピューティング装置のベース部に接続する場合、コンピューティング装置のベース部に含まれた電子部品（例えば、マザーボード）から、コンピューティング装置の表示部に含まれた素子（例えば、タッチスクリーンディスプレイ）にワイヤを配布することができ、その逆も同様である。
【００２１】
コンピューティング装置１０６は、オペレーティングシステム１０５、少なくとも１つのプロセッサ１０７、および非一時的なコンピュータ可読記憶媒体１０９を含むことができる。非一時的なコンピュータ可読記憶媒体１０９は、実行可能な命令を含むことができる。これらの命令は、実行されると、少なくとも１つのプロセッサ１０７に、オペレーティングシステム１０５およびアプリケーション１１２の機能を実行させる。
【００２２】
オペレーティングシステム１０５は、いくつかの例として、Ｗｉｎｄｏｗｓ（登録商標）オペレーティングシステム、Ｍａｃ  ＯＳ、Ｌｉｎｕｘ（登録商標）、Ｃｈｒｏｍｅ（登録商標）ＯＳ、Ａｎｄｒｏｉｄ（登録商標）、Ｓｙｍｂｉａｎ（登録商標）、またはｉＰｈｏｎｅ（登録商標）ＯＳなどのオペレーティングシステムを含むことができる。したがって、アプリケーション１１２は、基礎となるオペレーティングシステム１０５またはプラットフォーム上で実行することができる任意のアプリケーションを実質的に含むことができる。このようなアプリケーションの例は、周知であり、あまりにも多いため詳しく記載することはできないが、一般的にはウェブブラウザ、ドキュメント処理アプリケーション、ゲームアプリケーション、電子メールアプリケーション、画像編集または提示ソフトウェア、ウェブブラウザ、および／または実質的にオペレーティングシステム上で動作可能な任意種類のアプリケーションを含む。
【００２３】
コンピューティング装置１０６は、第１の物理的人的入力センサ１１６および第２の物理的人的入力センサ１１８を含むことができる。第１の物理的人的入力センサ１１６および第２の物理的人的入力センサ１１８の各々は、１つ以上の物理ボタン、スイッチ、ノブ、（例えば、キーボード上の）キーを含むことができる。これらの物理的人的入力センサは、表示画面上に表示されるグラフィカルユーザインターフェイス素子と異なる。これらのグラフィカルユーザインターフェイス素子は、ユーザとグラフィカルユーザインターフェイス素子との対話によって（例えば、タッチスクリーン上に表示されたグラフィカルユーザインターフェイス素子にタッチすることによって、（例えば、タッチパッドまたはマウスを用いて）表示画面上のポインタをユーザインターフェイス素子へ移動し、その後（例えば、タッチパッドをタップするまたはマウスボタンをクリックすることにより）作動コマンドを発行することによって）、作動されてもよい。
【００２４】
第１の物理的人的入力センサ１１６は、人間の入力を受け取ることができる。受け取った人間の入力に応答して、センサ１１６は、コンピューティング装置１０６の動作状態をオフ状態と非オフ状態（例えば、電源オン状態、低電力スリープ状態または画面ロック状態）との間で変更するための信号を生成することができる。例えば、一実施形態において、物理的人的入力センサ１１６は、オン／オフ物理ボタンを含むことができ、ユーザは、オン／オフボタンを押すと、コンピューティング装置１０６の状態をオフ状態と非オフ状態との間で変更することができる。例えば、装置１０６がオフであるとき、第１の物理的人的入力センサ１１６を押すことによって装置の電源をオンにすることができ、装置１０６が非オフ状態にあるとき、オン／オフボタンを押すことによって、装置の電源をオフにし、オフ状態に入れることができる。
【００２５】
第２の物理的人的入力センサ１１８は、人間の入力を受け取ることができる。受け取った人間の入力に応答して、センサ１１８は、コンピューティング装置の動作状態を変更するための信号を生成することができる。このときの動作状態の変更は、コンピューティング装置１０６をオフ状態に移行するまたはオフ状態から移行することを行わない。例えば、コンピューティング装置の動作状態を電源オン状態、画面アンロック状態、および画面ロック状態の間で変更することができる。別の例において、コンピューティング装置１０６の動作状態を電源オン動作状態と低電力スリープモードとの間で変更することができる。例えば、一実施形態において、第２の物理的人的入力センサ１１８は、画面ロックボタンを含むことができ、ユーザは、画面ロックボタンを押すと、コンピューティング装置１０６の状態を電源オン動作状態から画面ロック状態に変更することができる。別の例示的な実施形態において、第２の物理的人的入力センサ１１８は、サスペンドボタンを含むことができ、ユーザは、サスペンドボタンを押すと、コンピューティング装置１０６の状態を電源オン動作状態と低電力スリープ状態との間で変更することができる。
【００２６】
コンピューティング装置１０６は、１つ以上の加速度計１０８を含むことができる。加速度計１０８は、コンピューティング装置１０６のベース部および／または表示部に配置されてもよい。加速度計１０８は、加速度または（ニュートンの第２法則に従って加速度に比例する）力を受けることに応答して信号を生成するように構成された素子を含むことができる。このような素子は、圧電要素、ピエゾ抵抗要素、容量性要素、および微小電気機械システム（ＭＥＭＳ）要素を含む。
【００２７】
コンピューティング装置１０６は、装置がラップトップモードまたはタブレットモードで動作しているか否かを検出するための１つ以上のモードセンサ１１４を含むことができる。例えば、ベース部を表示部に連結する３６０°ヒンジを備えるコンバーチブル型コンピューティング装置の場合、モードセンサ１１４を用いて、表示部の平面がベース部の平面に対して所定の角度範囲（例えば、５〜１３０°）内の角度を成すか否かを判断することができ（この場合、コンピューティング装置１０６がラップトップモードで動作していると判断され）、または表示部の平面がベース部の平面に実質的に平行になり、表示部の表示画面がコンピューティングの外側に向いているか否かを判断することができる（この場合、コンピューティング装置がタブレットモードで動作していると判断される）。
【００２８】
モードセンサは、様々な要素を含むことができる。例えば、一実施形態において、モードセンサ１１４は、ベース部に設けられた第１の加速度計と、表示部に設けられた第２の加速度計とを含むことができる。２つのセンサが受けた重力による加速度の方向が実質的に平行である場合、装置がタブレットモードで動作していると判断することができる。コンピューティング装置１０６がタブレットモードで動作していると判断された場合、ベース部に設けられた１つ以上のヒューマンインターフェイス装置（ＨＩＤ）（例えば、キーボード、トラックパッド）を自動的に無効にすることによって、これらのＨＩＤからの予期せぬ入力を回避することができる。その理由として、コンピューティング装置がタブレットモードで動作しているときに、これらのＨＩＤからの入力が意図しないものであると考えられる。２つのセンサが受けた重力による加速度の方向が実質的に反平行である場合、装置の表示部がベース部に対して閉合位置にあり、表示部の表示画面が実質的にユーザから見えなくなると判断され、表示部とベース部とがこのように向いている場合、装置を自動的にサスペンドモード、画面ロックモードまたはオフ状態にすることができる。２つのセンサが受けた重力による加速度の方向が異なり、表示部の平面がベース部の平面に対して所定の角度範囲内の角度に向いていることを示す場合、コンピューティング装置１０６がラップトップモードで動作していると判断されてもよい。
【００２９】
また、モードセンサ１１４は、ベース部および表示部に設けられた磁石および磁気センサを含むことができる。例えば、表示部の背面に設けられた磁石とベース部の背面に設けられた磁気センサとが非常に近接する場合、装置がタブレットモードで動作していることを示すことができ、磁気センサに磁気信号がない場合、装置がラップトップモードで動作していることを示すことができる。別の例において、表示部の前面に設けられた磁石とベース部の前面に設けられた磁気センサとが非常に近接する場合、装置が閉合位置にあることを示すことができる。
【００３０】
コンピューティング装置１０６がタブレットモードで動作していると判断された場合、第２の物理的人的入力センサ１１８は、コンピューティング装置の動作状態を制御することができない。その代わりに、加速度計１０８は、コンピューティング装置の動作状態を制御するための入力を与えることができる。例えば、加速度計１０８に与えられた所定の入力（例えば、コンピューティング装置１０６上で行われた閾値振幅を超える所定数のタップ）に応答して、加速度計１０８は、コンピューティング装置１０６の動作状態を変更するために使用される信号を生成することができる。
【００３１】
アプリケーション１１２は、加速度計１０８と通信するために、１つ以上のアプリケーションプログラミングインターフェイス（ＡＰＩ）を含むまたは使用するか、またはそれと関連付けることができる。このようなＡＰＩは、軽量で互換性があり、カスタマイズ可能且つ様々なアプリケーション１１２の内部にまたはアプリケーション１１２の間に容易に実装することができる。また、ユーザは、加速度計１０８の動作および表示をプログラム可能に制御するために、殆どこれらのＡＰＩを更新または維持する必要がない。その更新は、加速度計１０８またはコンピューティング装置１０６の管理者または他のプロバイダによって処理され、装置１０６のユーザが関連する労力をせず、責任を負わない。オペレーティングシステム１０５、アプリケーション１１２およびＡＰＩは、加速度計１０８から信号を受信し、加速度計１０８に信号を送信するためのコマンドを発することができる。したがって、加速度計１０８は、コンピューティング装置１０６の異なる機能を制御するようにプログラムすることができ、コンピューティング装置１０６の異なる動作状態の制御またはコンピューティング装置１０６の異なる動作状態の遷移を行うことができる。
【００３２】
図２Ａは、一側面（右側２０２）から見て表示部２０４がベース部の上面２０６と実質的に接触している閉合位置にある例示的なコンバーチブル型コンピューティング装置２００を示す図である。この閉合位置において、表示部２０４は、ベース部２０８に対して０°の角度であると考えられてもよい。
【００３３】
図２Ｂは、表示部２０４がデュアルピボットヒンジ２１０のメインヒンジ２１２を中心にして回転され、１２０°位置に配置されたコンピューティング装置２００の例示的な構成を示す。この１２０°位置において、表示部２０４は、静止しているベース部２０８に対して約１２０°（すなわち、１２０°±５°）の角度２１３で向けられている。この１２０°位置において、ユーザは、例えば、表示部２０４に含まれた表示画面を見ながら、ベース部２０８に含まれた１つ以上の入力装置（例えば、キーボード、タッチパッドなど）と対話することができる。場合によって、この位置における表示部２０４の配置は、コンピューティング装置の種類因子であってもよい。例えば、ラップトップコンピュータを使用するユーザは、ベース部２０８に対して表示部２０４を１２０°よりも大きな角度で配置することができる。ラップトップコンピュータよりも小さいノートブックまたは他のコンピューティング装置を使用するユーザは、ベース部２０８に対して表示部２０４を１２０°未満の角度で配置することができる。
【００３４】
図２Ａに示す閉合位置から図２Ｂに示す１２０°位置までの表示部の移動は、使用者が表示部２０４に力を加え、表示部の上縁部を上方に押してベース部２０８から離せることにより、メインヒンジ２１２を回転移動させるによって達成される。ベースヒンジ２１８が静止したまま（回転していない）間に、メインヒンジ２１２の回転移動は、表示部２０４の移動を提供／制御する。
【００３５】
図２Ｃは、表示部２０４がデュアルピボットヒンジ２１０のメインヒンジ２１２を中心にして回転され、１３５°位置に配置されたコンピューティング装置２００の例示的な構成を示す。この１３５°位置において、表示部２０４は、静止しているベース部２０８に対して約１３５°（すなわち、１３５°±５°）の角度２１４を成す。この１３５°位置において、ユーザは、例えば、コンピューティング装置２００の表示部２０４が１２０°位置にあるときと同様の方法で、コンピューティング装置と対話することができる。
【００３６】
図２Ｄは、表示部２０４がデュアルピボットヒンジ（例えば、デュアルピボットヒンジ２１０）を中心にして０°位置から１８０°位置に回転されたコンピューティング装置２００の例示的な構成を示す。この１８０°位置において、表示部２０４は、ベース部２０８に対して約１８０°（すなわち、１８０°±５°）の角度２１６を成す。（図２Ａに示す）閉合位置から１８０°位置までの表示部２０４の移動は、表示部２０４を閉合位置から１３５°位置に移動させることによるメインヒンジ２１２の回転移動、およびその後、表示部２０４を１３５°位置から１８０°位置にさらに移動させることによるベースヒンジ２１８の回転移動によって達成することができる。
【００３７】
図２Ｅは、表示部２０４がデュアルピボットヒンジ（例えば、デュアルピボットヒンジ２１０）を中心にして０°位置から２２５°位置に回転されたコンピューティング装置２００の例示的な構成を示す。この２２５°位置において、表示部２０４は、ベース部２０８に対して約２２５°（すなわち、２２５°±５°）の角度２２０を成す。
【００３８】
（図２Ａに示す）閉合位置から２２５°位置までの表示部２０４の移動は、表示部２０４を閉合位置から１３５°位置に移動させることによるメインヒンジ２１２の回転移動、およびその後、表示部２０４を１３５°位置から２２５°位置に移動させることによるベースヒンジ２１８の回転移動によって達成することができる。
【００３９】
図２Ｆは、表示部２０４がデュアルピボットヒンジ（例えば、デュアルピボットヒンジ２１０）を中心にして０°位置から３６０°位置に回転されたコンピューティング装置２００の例示的な構成を示す。この３６０°位置において、表示部２０４は、ベース部２０８に対して約３６０°（３６０°±５°）の角度２２２を成す。この３６０°位置において、表示部２０４は、ベース部２０８の下面２２４と接触している。
【００４０】
（図２Ａに示す）閉合位置から３６０°位置までの表示部２０４の移動は、表示部２０４を閉合位置から１３５°位置に移動させることによるメインヒンジ２１２の回転移動、表示部２０４を１３５°位置から２２５°位置に移動させることによるベースヒンジ２１８の回転移動、およびその後、表示部２０４を２２５°位置から３６０°位置に移動させることによるメインヒンジ２１２の回転移動によって達成することができる。
【００４１】
図２Ａ〜図２Ｆを参照して説明したフォームファクタ（form factor）に加えて、コンバーチブル型コンピューティング装置１０６は、表示部がベース部に取り外し可能に連結された装置の形を取ることができる。例えば、表示部は、機械的コネクタ、電気的コネクタおよび／または磁気的コネクタを介して、ラップトップモードに対応する第１の位置でベース部に連結することができ、１つ以上の機械的コネクタ、電気的コネクタ、および／または磁気的コネクタを介して、タブレットモードに対応する第２の位置でベース部に連結することができる。装置をラップトップモードからタブレットモードに切り替えるために、表示部をベース部から取り外し、タブレットモードに対応する位置に配置することができる。
【００４２】
図３は、ラップトップモードで使用されている例示的なコンバーチブル型コンピューティング装置３００を示す斜視背面図である。コンバーチブル型コンピューティング装置３００は、ベース部３０２と、表示部３０４とを含む。ベース部３０２は、１つ以上のユーザ入力装置（例えば、キーボード、トラックパッドなど）と、電気部品（例えば、命令を実行可能な命令を格納するように構成された１つ以上のメモリ装置、およびこれらの命令を実行するように構成された１つ以上のプロセッサなど）とを含んでもよい。表示部３０４は、ユーザに情報を表示するためのタッチスクリーンを含む表示画面を備える。表示部３０４は、ヒンジ３０６によってベース部３０２に取り付けられてもよい。これによって、表示部３０４をベース部３０２に対して平行である閉合位置に配置することができ、ベース部３０２に対して、ヒンジ３０６によって画定された軸を中心にして表示部３０４を回転することによって開放位置に開くことができる。また、ヒンジ３０６によって画定された軸を中心にして表示部３０４を閉合位置から、ベース部３０２と平行になるまで、閉合位置にあるときのベース部の反対側に回転することによって、表示部３０４を開放位置に配置することができる。この場合、コンピューティング装置３００がタブレットモードにある。表示部３０４は、一般に薄い矩形形状を有するため、対向する２つの主面を有する。表示部が閉合位置にあるときにベース部に面する第１の面（図示せず）は、テキスト情報をユーザに表示するように構成された高解像度のプログラム可能な表示画面を含むことができる。
【００４３】
コンピューティング装置３００は、コンピューティング装置の動作状態をオフ状態と非オフ状態との間で変更するように使用可能な第１の物理的人的入力センサ３１６を含むことができる。いくつかの実施形態において、第１の物理的人的入力センサ３１６は、ユーザのタッチによって作動され、装置の状態を変更することができるオン／オフボタンを含むことができる。いくつかの実施形態において、オン／オフボタンは、ユーザが押すことによって作動されてもよい。例えば、コンピューティング装置３００がオフ状態にあるとき、ボタンを押すことによって、コンピューティング装置の電源をオンにし、ブートシーケンスを開始することができる。コンピューティング装置３００が非オフ状態（例えば、電源オン状態、低電力スリープ状態または画面ロック状態）にあるとき、所定の時間以上でボタンを押すことによって、コンピューティング装置の状態をオフ状態に変更することができる。また、所定時間よりも短い時間でボタンを押すことによって、コンピューティング装置の状態を電源オン状態と低電力スリープ状態との間で変更することができる。いくつかの実施形態において、第２の人的入力センサ３１８は、コンピューティング装置の動作状態を変更するように動作可能なスイッチ、ノブなどを含むことができる。
【００４４】
いくつかの実施形態において、第１の物理的人的入力センサ３１６は、コンピューティング装置３００のベース部３０２の縁部またはコンピューティング装置３００の表示部３０４の縁部に設けられてもよい。これによって、ユーザは、ラップトップモードおよびタブレットモードの両方で装置を操作しているときに、センサ３１６を容易に利用することができる。
【００４５】
図４は、ラップトップモードで使用されている例示的なコンバーチブル型コンピューティング装置３００を示す斜視正面図である。図４に示すように、コンピューティング装置３００の表示部３０４は、ベゼル３０８で囲まれた表示画面３０５を含むことができる。表示画面は、タッチスクリーンを含むことができる。コンピューティング装置３００のベース部３０２は、１つ以上のヒューマンインターフェイス装置（ＨＩＤ）を含むことができる。１つ以上のＨＩＤは、例えば、表示画面３０５上でポインタを移動および操作するように使用可能なトラックパッド３１０と、コンピューティング装置３００に入力を与えるように動作可能な複数のキーを含むキーボード３１２とを含む。
【００４６】
コンピューティング装置３００は、コンピューティング装置の動作状態を変更するように使用可能な第２の物理的人的入力センサ３１８を含むことができる。いくつかの実施形態において、第２の物理的人的入力センサ３１８は、ユーザのタッチによって（例えば、ユーザがキーを押すことによって）作動され、装置の動作状態を変更することができるキーボード３１２のキーを含むことができる。いくつかの実施形態において、第２の物理的人的入力センサは、キーボードと異なるセンサを含むことができる。いくつかの実施形態において、第２の人的入力センサ３１８は、スイッチ、ノブなどを含むことができる。いくつかの実施形態において、第２の人的入力センサ３１８を作動することによって、コンピューティング装置３００の動作状態を画面ロック状態に変更することができる。例えば、第２の人的入力センサ３１８を作動することによって、コンピューティング装置を電源オン状態から画面ロック状態に遷移させることができ、コンピューティング装置３００上のユーザデータおよびアプリケーションのプライバシおよびセキュリティを保証することができる。これらの実施形態の一部において、第１のヒューマンインターフェイスセンサ３１６を用いて、コンピューティング装置の動作状態をオフ状態と非オフ状態との間で変更することができ、コンピューティング装置の状態を電源オン状態と低電力スリープ状態との間で変更することができる。
【００４７】
コンピューティング装置１０６が低電力スリープ状態にあるとき、異なる技術を用いて、コンピューティング装置１０６を低電力スリープ状態から抜け出すことができる。例えば、いくつかの実施形態において、装置がユーザによって突き当てられ、タップされ、またはピックアップされたことを示す加速度計１０８からの信号に応答して、コンピューティング装置１０６を低電力スリープ状態から抜け出すことができる。いくつかの実施形態において、例えば、ユーザがバッグまたはバックパック内の装置を運んでいる間に装置が押し付けられたことを示す信号が加速度計１０８から与えられた場合、コンピューティング装置は、低電力スリープ状態を維持することができる。いくつかの実施形態において、加速度計１０８は、メインプロセッサ（例えば、ＣＰＵ）に対して少量の電力しか消費しないマイクロコントローラに接続されてもよい。これによって、たとえ装置が低電力スリープ状態にあっても、マイクロコントローラは、オンに留まることができ、加速度計からの信号を受信および解析することができる。いくつかの実施形態において、加速度計１０８は、メインプロセッサ（例えば、ＣＰＵ）に対して少量の電力しか消費しないタッチスクリーンコントローラに接続されてもよい。これによって、たとえ装置が低電力スリープ状態にあっても、タッチスクリーンコントローラは、オンに留まることができ、加速度計からの信号を受信および解析することができる。
【００４８】
いくつかの実施形態において、第２の人的入力センサ３１８を作動することによって、コンピューティング装置の状態を電源オン状態と低電力スリープ状態との間で変更することができる。これらの実施形態の一部において、第１のヒューマンインターフェイスセンサ３１６を用いて、コンピューティング装置の動作状態をオフ状態と非オフ状態との間で変更することができ、コンピューティング装置の状態を電源オン状態と画面ロック状態との間で変更することができる。
【００４９】
図５は、タブレットモードで使用されている例示的なコンバーチブル型コンピューティング装置３００を示す正面図である。図５に示すように、装置がタブレットモードで動作しているとき、一般に、ユーザは、キーボード３１２を用いて装置に入力を行うことができない。むしろ、ユーザは、タッチスクリーンを介して装置に入力を行う。コンピューティング装置３００の表示部３０４は、ベゼル３０８によって囲まれた表示画面３０５を含むことができる。表示画面は、タッチスクリーンを含むことができる。
【００５０】
いくつかの実施形態において、モードセンサ１１４からの、コンピューティング装置３００がタブレットモードで動作していることを示す信号は、装置のベース部に設けられた１つ以上のヒューマンインターフェイス素子（例えば、キーボード、トラックパッドなど）を無効にすることができる。これによって、これらのヒューマンインターフェイス素子との物理的相互作用は、装置の表示または動作の変化を引き起こさない。また、コンピューティング装置３００がタブレットモードで動作していると判断された場合に、第２の人的入力センサ３１８を無効にすることができる。第２の人的入力センサ３１８が無効にされた場合、コンピューティング装置３００がラップトップモードにあるときの第２の人的入力センサ３１８の機能は、ベース部および／または表示部に設けられた１つ以上の加速度計によって実行される。例えば、加速度計が所定の時間内にコンピューティング装置のハウジングに与えられた所定数のタップまたはノッキングを検出し且つ各タップまたはノックが所定の振幅を超える振幅を有することに応答して、コンピューティング装置の動作状態を変更することができる。例えば、動作状態を電源オン状態から画面ロック状態に変更することができる。また、ユーザは、装置に所定の入力（例えば、パスワード、個人識別番号、指紋、タッチスクリーン上の特定パターンのスワイプ）を与えることによって、コンピューティング装置３００の画面ロックを解除し、装置をアンロックの電源オン状態に戻すことができる。
【００５１】
いくつかの実施形態において、モードセンサ１１４からの、コンピューティング装置３００がタブレットモードで動作していることを示す信号は、第１の物理的人的入力センサおよび第２の物理的人的入力センサの両方を無効にすることができる。これによって、これらのセンサとの物理的相互作用は、装置の動作状態の変化を引き起こさない。例えば、物理的人的入力センサがコンピューティング装置の縁部に設けられた場合、ユーザは、装置をタブレットモードで操作しているときに、装置の動作状態を変更する意図がなくても、不注意にセンサを触ってしまう可能性がある。したがって、装置がテーブルモードにあるときに両方の物理的人的入力センサを無効にすることによって、装置の動作状態を不注意に変更してしまうことを回避することができる。第１の物理的人的入力センサを無効にした場合、その機能は、加速度計１０８によって実行することができる。例えば、ユーザによって装置に与えられたタッピングジェスチャ（例えば、装置上に行われた２回のノック）に応答して、加速度計によって生成された第１の所定の信号は、装置の動作状態を電源オン状態から低電力スリープ状態に変更することができる。ユーザによって装置に与えられたタッピングジェスチャ（例えば、５回以上のノック）に応答して、加速度計によって生成された第２の所定の信号は、装置の動作状態を電源オン状態から画面ロック状態に変更することができる。ユーザによって装置に与えられたタッピングジェスチャに応答して、加速度計によって生成された第３の所定の信号は、装置の動作状態を電源オン状態からオフ状態に変更することができる。
【００５２】
図６は、本明細書に記載されたコンバーチブル型コンピューティング装置の例示的な動作を示すフローチャートである。プロセス６００において、コンバーチブル型コンピューティング装置がラップトップモードでまたはタブレットモードで動作しているかを判断する（６０２）。コンバーチブル型コンピューティング装置がラップトップモードで動作していると判断された場合、コンピューティング装置の動作状態を変更できるように、コンバーチブル型コンピューティング装置に設けられた物理的人的入力センサを有効にする（６０４）。
【００５３】
コンバーチブル型コンピューティング装置がタブレットモードで動作していると判断された場合、当該センサに与えられた人間の入力に応答してコンピューティング装置の動作状態を変更できないように、コンバーチブル型コンピューティング装置に設けられた物理的人的入力センサを無効にし（６０６）、コンピューティング装置上でユーザが行ったタッピングジェスチャを検出し（６０８）、タッピングジェスチャに応答して、コンバーチブル型コンピューティング装置の動作状態を変更する（６１０）。コンバーチブル型コンピューティング装置がラップトップモードで動作していると判断された場合、コンバーチブル型コンピューティング装置がタッピングジェスチャに応答してその動作状態を変更できないようにする（６１２）。
【００５４】
図７は、本明細書に記載の技術を実施するために使用できるコンピュータ装置７００およびモバイルコンピュータ装置７５０の一例を示す図である。コンピューティング装置７００は、ラップトップ、デスクトップ、ワークステーション、ＰＤＡ（Personal Digital Assistant）、サーバ、ブレードサーバ、メインフレームおよび他の適切なコンピュータなどの様々な形態のデジタルコンピュータを表すように意図されている。コンピューティング装置７５０は、ＰＤＡ、携帯電話、スマートフォンおよび他の類似するコンピューティング装置などの様々な形態のモバイル装置を表すように意図されている。図示された構成要素、それらの接続および関係並びにそれらの機能は、例示的なものに過ぎず、本明細書に記載および／または請求される発明の実施を限定するものではない。
【００５５】
コンピューティング装置７００は、プロセッサ７０２と、メモリ７０４と、記憶装置７０６と、メモリ７０４および高速拡張ポート７１０に接続している高速インターフェイス７０８と、低速バス７１４および記憶装置７０６を連結する低速インターフェイス７１２とを含む。構成要素７０２、７０４、７０６、７０８、７１０および７１２は、様々なバスを用いて相互に接続され、共通のマザーボード上に実装されてもよく、または適切な他の方法で実装されてもよい。プロセッサ７０２は、メモリ７０４または記憶装置７０６に記憶された命令を含むコンピューティング装置７００内に実行される命令を処理することによって、外部入力／出力装置のＧＵＩに、例えば高速インターフェイス７０８に接続されたディスプレイ７１６にグラフィック情報を表示することができる。他の実施態様において、複数のプロセッサおよび／または複数のバスは、複数のメモリおよび複数種類のメモリと共に、適切に使用されることができる。また、各装置が（例えば、サーババンク、一群のブレードサーバ、またはマルチプロセッサシステムとして）必要な動作の一部を実行するように、複数のコンピューティング装置７００を接続することができる。
【００５６】
メモリ７０４は、コンピューティング装置７００に情報を格納する。一実施形態において、メモリ７０４は、揮発性メモリユニットである。別の実施形態において、メモリ７０４は、不揮発性メモリユニットである。メモリ７０４は、別の形態のコンピュータ可読媒体、例えば、磁気ディスクまたは光ディスクであってもよい。
【００５７】
記憶装置７０６は、コンピューティング装置７００に大容量の記憶を提供することができる。一実施形態において、記憶装置７０６は、例えば、フロッピー（登録商標）ディスク装置、ハードディスク装置、光学ディスク装置、テープディスク装置、フラッシュメモリまたは他の同様の固体メモリ装置、または記憶エリアネットワークまたは他の構成内の装置を含むアレイ記憶装置などのコンピュータ可読媒体を含むことができる。コンピュータプログラム製品は、情報担体に有形的に具体化することができる。また、コンピュータプログラム製品は、命令を含むことができる。これらの命令は、実行されると、上述したような１つ以上の方法を実行することができる。情報担体は、例えば、メモリ７０４、記憶装置７０６、またはプロセッサ７０２上のメモリなどのコンピュータ可読媒体または機械可読媒体である。
【００５８】
高速コントローラ７０８は、コンピューティング装置７００の高速の帯域幅集約動作を管理し、低速コントローラ７１２は、低速の帯域幅集約動作を管理する。このような機能の割り当ては、例示に過ぎない。一実施形態において、高速コントローラ７０８は、メモリ７０４、（例えば、グラフィックプロセッサまたはアクセラレータを介して）ディスプレイ７１６、および様々な拡張カード（図示せず）を挿入できる高速拡張ポート７１０に連結される。この実施形態において、低速コントローラ７１２は、記憶装置７０６および低速拡張ポート７１４に連結される。様々な通信ポート（例えば、ＵＳＢ、ブルートゥース（登録商標）、イーサネット（登録商標）、無線イーサネット）を含み得る低速拡張ポートは、例えば、キーボード、ポインティング装置、スキャナなどの１つ以上の入出力装置に連結されてもよく、またはネットワークアダプタを介して、スイッチまたはルータなどのネットワーキング装置に連結されてもよい。
【００５９】
図示のように、コンピューティング装置７００は、いくつかの異なる形態で実装されてもよい。例えば、コンピューティング装置７００は、ラップトップコンピュータ７２２またはタブレットコンピュータなどのパーソナルコンピュータに実装されてもよい。代替的には、コンピューティング装置７００の要素は、装置７５０などのモバイル装置（図示せず）内の他の要素と組み合わてもよい。このような装置の各々は、１つ以上のコンピューティング装置７００、７５０を含むことができ、システムの全体は、互いに通信できる複数のコンピューティング装置７００、７５０から構成されていることができる。
【００６０】
コンピューティング装置７５０は、プロセッサ７５２、メモリ７６４、ディスプレイ７５４などの入出力装置、通信インターフェイス７６６、およびトランシーバ７６８を含む。装置７５０は、追加の記憶を提供するために、マイクロドライブまたは他の素子などの記憶装置を備えることもできる。要素７５０、７５２、７６４、７５４、７６６および７６８は、様々なバスを介して相互に接続され、一部の要素は、共通のマザーボード上に実装されてもよく、または適切な他の方法で実装されてもよい。
【００６１】
プロセッサ７５２は、メモリ７６４に格納された命令を含むコンピューティング装置７５０内の命令を実行することができる。このプロセッサは、互いに独立している複数のアナログプロセッサおよびデジタルプロセッサを備えるチップのチップセットとして実装されてもよい。このプロセッサは、装置７５０の他の要素の協調、例えば、ユーザインターフェイスの制御、装置７５０によるアプリケーションの実行、および装置７５０による無線通信を提供することができる。
【００６２】
プロセッサ７５２は、制御インターフェイス７５８およびディスプレイ７５４に連結されたディスプレイインターフェイス７５６を介してユーザと通信することができる。ディスプレイ７５４は、例えば、ＴＦＴ  ＬＣＤ（薄膜トランジスタ液晶ディスプレイ）またはＯＬＥＤ（有機発光ダイオードディスプレイ）、または他の適切なディスプレイ技術を使用することができる。表示インターフェイス７５６は、グラフィック情報および他の情報をユーザに表示するために、ディスプレイ７５４を駆動する適切な回路を含むことができる。制御インターフェイス７５８は、ユーザからの指令を受信し、変換してからプロセッサ７５２に提供することができる。また、プロセッサ７５２と通信するように外部インターフェイス７６２を設けることによって、装置７５０は、他の装置と近距離通信を行うことができる。外部インターフェイス７６２は、例えば、いくつかの実施形態において有線通信を提供することができ、他の実施形態において無線通信を提供することができる。複数のインターフェイスを使用することもできる。
【００６３】
メモリ７６４は、コンピューティング装置７５０に情報を格納する。メモリ７６４は、コンピュータ可読媒体、揮発性メモリユニット、または不揮発性メモリユニットのうち、１つまたは複数として実装することができる。拡張メモリ７７４は、例えば、ＳＩＭＭ（Single In Line Memory Module）カードインターフェイスを含む拡張インターフェイス７７２を介して、装置７５０に提供され、接続されてもよい。具体的には、拡張メモリ７７４は、上述したプロセスを実行するまたは補足するための命令を格納することができ、セキュリティ情報を格納することもできる。したがって、拡張メモリ７７４は、例えば、装置７５０のセキュリティモジュールとして提供されてもよく、装置７５０の安全使用を可能にする命令でプログラムされてもよい。さらに、ＳＩＭＭカードを介して、追加情報と共に、セキュリティアプリケーションを配置することができる。例えば、ハッキングできない方法で、ＳＩＭＭカード上に識別情報を配置することができる。
【００６４】
以下に説明するように、メモリは、例えば、フラッシュメモリおよび／またはＮＶＲＡＭメモリを含むことができる。一実施形態において、コンピュータプログラム製品は、情報担体に有形的に具体化される。コンピュータプログラム製品は、命令を含み、これらの命令は、実行されると、上述したような１つ以上の方法を実行する。情報担体は、例えば、メモリ７６４、拡張メモリ７７４、またはプロセッサ７５２上のメモリなどのコンピュータ可読媒体または機械可読媒体であり、トランシーバ７６８または外部インターフェイス７６２を介して受信動作を実行してもよい。
【００６５】
装置７５０は、必要に応じてデジタル信号処理回路を含む通信インターフェイス７６６を介して無線通信を行うことができる。通信インターフェイス７６６は、とりわけ、ＧＳＭ（登録商標）通話、ＳＭＳ、ＥＭＳ、またはＭＭＳメッセージング、ＣＤＭＡ、ＴＤＭＡ、ＰＤＣ、ＷＣＤＭＡ（登録商標）、ＣＤＭＡ２０００、またはＧＰＲＳなどの様々なモードまたはプロトコルに基づいて、通信を提供することができる。このような通信は、例えば、高周波トランシーバ７６８を介して行われてもよい。また、ブルートゥース（登録商標）、ＷｉＦｉ（登録商標）、または他のトランシーバ（図示せず）を用いて、短距離通信を行うことができる。さらに、ＧＰＳ（全地球測位システム）受信モジュール７７０は、追加のナビゲーション関連無線データおよび位置関連無線データを装置７５０に提供することができる。これらの無線データは、装置７５０上で動作するアプリケーションに適宜に使用される。
【００６６】
また、装置７５０は、音声コーデック７６０を用いて音声通信を行うことができる。音声コーデック７６０は、ユーザから受信した音声情報を使用可能なデジタル情報に変換することができる。同様に、音声コーデック７６０は、例えば、装置７５０の送受話器内のスピーカを介して、ユーザに可聴な音声を生成することができる。このような音声は、音声電話からの音声を含むことができ、記録された音声（例えば、音声メッセージ、音楽ファイル）を含むことができ、装置７５０上で動作するアプリケーションによって生成された音声を含むこともできる。
【００６７】
図示のように、コンピューティング装置７５０は、いくつかの異なる形態で実装されることができる。例えば、コンピューティング装置７５０は、携帯電話７８０として実装されてもよく、スマートフォン７８２、ＰＤＡまたは他の類似するモバイル装置の一部として実装されてもよい。
【００６８】
本明細書に記載のシステムおよび技術の様々な実装は、デジタル電子回路、集積回路、特別に設計されたＡＳＩＣ（特定用途向け集積回路）、コンピュータハードウェア、ファームウェア、ソフトウェアおよび／またはそれらの組み合わせで実現することができる。これらの様々な実装は、プログラム可能なシステム上で実行可能および／または解釈可能な１つ以上のコンピュータプログラムにおける実装を含むことができる。このプログラム可能なシステムは、記憶システムからデータおよび命令を受信し、データおよび命令を記憶システムに送信するように記憶システムに連結された少なくとも１つのプログラム可能な専用または汎用のプロセッサ、少なくとも１つの入力要素、および少なくとも１つの出力装置を含む。
【００６９】
（プログラム、ソフトウェア、ソフトウェアアプリケーションまたはコードとしても知られている）これらのコンピュータプログラムは、プログラム可能なプロセッサ用の機械命令を含み、高度な手続き型プログラミング言語および／または高度なオブジェクト指向プログラミング言語で実装することができ、および／またはアセンブリ言語／機械言語で実装することができる。「機械可読媒体」という用語は、本明細書に使用された場合、プログラム可能なプロセッサに機械命令および／またはデータを提供するために使用された機械可読信号としての機械命令を受け取る機械可読媒体を含む任意のコンピュータプログラム製品、機械および／または装置（例えば、磁気ディスク、光学ディスク、メモリ、プログラム可能な論理装置（ＰＬＤ））を指す。「機械可読信号」という用語は、機械命令および／またはデータをプログラム可能なプロセッサに提供するために使用された任意の信号を指す。
【００７０】
ユーザとの情報交換を行うために、本明細書に記載のシステムおよび技術は、ディスプレイ素子（例えば、ＣＲＴ（ブラウン管）モニタまたはＬＣＤ（液晶ディスプレイ）モニタ）と、キーボードと、ポインティング装置（例えば、マウスまたはトラックボール）とを含むコンピュータ上で実装することができる。ディスプレイ素子は、情報を表示することができ、ユーザは、キーボードとポインティング装置とを用いて、コンピュータに入力を与えることができる。他の種類の装置を用いて、ユーザと情報交換を行うこともできる。例えば、ユーザに与えるフィードバックは、任意の形の感覚フィードバック（例えば、視覚フィードバック、聴覚フィードバック、または触覚フィードバック）であってもよく、ユーザから受け入れる入力は、音響入力、音声入力、または触覚入力を含む任意の形態であってもよい。
【００７１】
さらなる実施形態は、以下の実施例に要約される。
【実施例１】
【００７２】
ラップトップモードとタブレットモードとの間で変換可能なコンピューティング装置であって、キーボードを含むベース部と、表示画面を含む表示部と、ユーザによって装置上で行われたタッピングジェスチャを検出するように構成された加速度計と、装置がラップトップモードにあるかまたはタブレットモードにあるかを判断するように構成されたモードセンサと、当該センサに与えられた人間の入力に応答して、装置の動作状態をオフ状態と非オフ状態との間で変更するように構成された第１の物理的人的入力センサと、当該センサに与えられた人間の入力に応答して、コンピューティング装置の動作状態を変更するように構成された第２の物理的人的入力センサとを備え、コンピューティング装置がラップトップモードにあると判断された場合、コンピューティング装置の動作状態を変更できるように、第２の物理的人的入力センサを有効にし、コンピューティング装置がタブレットモードにあると判断された場合、装置の動作状態を変更できないように、第２の物理的人的入力センサを無効にし、加速度計によって検出されたタッピングジェスチャを用いて、装置の動作状態を変更する。
【実施例２】
【００７３】
実施例１に記載のコンピューティング装置において、装置の動作状態の変更は、動作状態を画面アンロック状態と画面ロック状態との間で変更することを含む。
【実施例３】
【００７４】
実施例２に記載のコンピューティング装置において、第１の物理的人的入力センサは、当該センサに与えられた人間の入力に応答して、動作状態を全電力状態と低電力スリープ状態との間で変更するようにさらに構成されている。
【実施例４】
【００７５】
実施例３に記載のコンピューティング装置において、第１の物理的人的入力センサは、当該センサに与えられた第１の持続時間の人間の入力に応答して装置の動作状態をオフ状態と非オフ状態との間で変更するように構成され、当該センサに与えられた第２の持続時間の人間の入力に応答して動作状態を全電力状態と低電力スリープ状態との間で変更するように構成されている。
【実施例５】
【００７６】
実施例１〜４のいずれか１つに記載のコンピューティング装置において、装置の動作状態の変更は、動作状態を全電力状態と低電力スリープ状態との間で変更することを含む。
【実施例６】
【００７７】
実施例５に記載のコンピューティング装置において、第１の物理的人的入力センサは、当該センサに与えられた人間の入力に応答して、動作状態を画面アンロック状態と画面ロック状態との間で変更するようにさらに構成されている。
【実施例７】
【００７８】
実施例６に記載のコンピューティング装置において、第１の物理的人的入力センサは、当該センサに与えられた第１の持続時間の人間の入力に応答して、装置の動作状態をオフ状態と非オフ状態との間で変更するように構成され、当該センサに与えられた第２の持続時間の人間の入力に応答して、動作状態を画面アンロック状態と画面ロック状態との間で変更するように構成されている。
【実施例８】
【００７９】
実施例１〜７のいずれかに記載のコンピューティング装置において、第１の物理的人的入力センサは、ベース部の縁部または表示部の縁部に設けられたボタンを含む。
【実施例９】
【００８０】
実施例１〜８のいずれかに記載のコンピューティング装置において、第２の物理的人的入力センサが、ベース部上のボタンを含む。
【実施例１０】
【００８１】
実施例９に記載のコンピューティング装置において、第２の物理的人的入力センサは、キーボード上のキーを含む。
【実施例１１】
【００８２】
実施例１〜１０のいずれか１つのコンピューティング装置は、ベース部を表示部に接続するためのヒンジをさらに備える。
【実施例１２】
【００８３】
実施例１〜１１のいずれか１つに記載のコンピューティング装置において、モードセンサは、ベース部および表示部の一方に設けられた磁石と、ベース部および表示部の他方に設けられた磁気センサを備え、磁気センサは、磁石と磁気センサとの近接度に基づいて、コンピューティング装置のモードを判断するように構成されている。
【実施例１３】
【００８４】
実施例１〜１２のいずれか１つに記載のコンピューティング装置において、モードセンサは、ベース部に設けられた第１の加速度計と、表示部に設けられた第２の加速度計とを含み、加速度計は、第１の加速度計および第２の加速度計によって検出された加速度方向の比較に基づいて、コンピューティング装置のモードを判断するように構成されている。
【実施例１４】
【００８５】
実施例１〜１３のいずれか１つに記載のコンピューティング装置において、加速度計によって検出され、装置の動作状態を変更するために使用されたタッピングジェスチャは、所定の時間内に所定数のタッピングジェスチャのシーケンスを含み、シーケンス内のタッピングジェスチャの各々は、加速度計に、閾値振幅を超える振幅を有する信号を生成させる。
【実施例１５】
【００８６】
方法であって、コンバーチブル型コンピューティング装置がラップトップモードまたはタブレットモードで動作しているか否かを判断することと、コンバーチブル型コンピューティング装置がタブレットモードで動作していると判断された場合に、コンバーチブル型コンピューティング装置に設けられた物理的人的入力センサを、当該センサに与えられた人間の入力に応答してコンピューティング装置の動作状態を変更できないように無効にすることとを含む。上記の物理的人的入力センサは、コンバーチブル型コンピューティング装置がラップトップモードであると判断された場合に、コンバーチブル型コンピューティング装置の動作状態を変更できるように有効にされる。方法はさらに、コンバーチブル型コンピューティング装置がタブレットモードで動作していると判断された場合に、ユーザによって装置上で行われたタッピングジェスチャを検出することと、タッピングジェスチャに応答して、コンバーチブル型コンピューティング装置の動作状態を変更することとを含む。
【実施例１６】
【００８７】
実施例１５に記載の方法において、装置の動作状態の変更は、画面アンロック状態と画面ロック状態との間で動作状態を変更することを含む。
【実施例１７】
【００８８】
実施例１５または１６に記載の方法において、物理的人的入力センサは、コンピューティング装置のベース部に設けられたキーボード上のキーを含む。
【実施例１８】
【００８９】
実施例１５〜１７のいずれか１つに記載の方法において、装置の動作状態を変更するために使用されたタッピングジェスチャは、所定の時間内に所定数のタッピングジェスチャのシーケンスを含み、シーケンス内のタッピングジェスチャの各々は、コンピューティング装置の加速度計に、閾値振幅を超える振幅を有する信号を生成させるように構成されている。
【実施例１９】
【００９０】
実施例１５〜１８のいずれか１つに記載の方法は、コンバーチブル型コンピューティング装置がタブレットモードで動作していると判断された場合、装置の表示画面を変更できないように装置のベース部に設けられたキーボードを無効にすることをさらに含む。
【実施例２０】
【００９１】
実施例１５〜１９のいずれか１つに記載の方法は、コンバーチブル型コンピューティング装置がラップトップモードで動作していると判断された場合、コンピューティング装置の動作状態を変更できるように、コンバーチブル型コンピューティング装置に設けられた物理的人的入力センサを有効にすることと、コンバーチブル型コンピューティング装置がタッピングジェスチャに応答して動作状態を変更できないようにすることとを含む。
【００９２】
理解すべきことは、特に詳しく説明された上記の実施形態は、単なる例示的または可能な実施形態であり、他の多くの組み合わせ、追加または代替を含むことができることである。
【００９３】
また、構成要素の特定の命名、用語の大文字化、属性、データ構造、または他のプログラミングまたは構造的性質は、必須または重要ではなく、本発明またはその特徴を実装するメカニズムは、異なる名称、フォーマットまたはプロトコルを有してもよい。さらに、システムは、説明したように、ハードウェアとソフトウェアの組み合わせまたは全てハードウェア要素で実装することができる。また、本明細書に記載された様々なシステム要素間の特定の機能の分割は、単なる例示であり、必須ではない。単一のシステム要素によって実行された機能は、複数の要素によって実行されてもよく、複数の要素によって実行された機能は、単一の要素によって実行されてもよい。
【００９４】
上記の説明のいくつかの部分は、情報に基づいて、動作のアルゴリズム表現および記号表現を形成する。データ処理技術における当業者は、これらのアルゴリズム記述および表現を用いて、仕事の内容を他の当業者に最も効果的に伝えることができる。これらの動作は、機能的または論理的に記載されているが、コンピュータプログラムによって実行されるものとして理解すべきである。さらに、一般性を失うことなく、これらの動作の構成をモジュールまたは機能的な名前で参照することは、場合によって便利である。
【００９５】
上記の説明から明らかなように、特に指定しない限り、「処理する」、「演算する」、「計算する」、「決定する」、「表示する」、または「提供する」などの用語を利用する議論は、コンピュータシステムメモリ、レジスタもしくは他の情報記憶装置、伝送装置または表示装置内の物理（電子）量として表されたデータを処理および変換するコンピュータシステムまたは同様の電子コンピューティング装置の動作およびプロセスを指す。
【図１】
2018538590.tif 000003
【図２Ａ】
2018538590.tif 000004
【図２Ｂ】
2018538590.tif 000005
【図２Ｃ】
2018538590.tif 000006
【図２Ｄ】
2018538590.tif 000007
【図２Ｅ】
2018538590.tif 000008
【図２Ｆ】
2018538590.tif 000009
【図３】
2018538590.tif 000010
【図４】
2018538590.tif 000011
【図５】
2018538590.tif 000012
【図６】
2018538590.tif 000013
【図７】
2018538590.tif 000014
【国際調査報告】
2018538590.tif 000015
2018538590.tif 000016
2018538590.tif 000017